(57)【要約】【課題】釣竿本体の前方にグリップ部を設ける場合があるが、グリップ部がフェルールナットの近傍に位置するために、グリップ部用の接着剤が溢れ出すと、フェルールナットをフェルール本体と固着させて動作不良を起こしてしまう。一方、接着剤の塗布量を減らすと、接着剤の欠落部分の発生によるグリップ部の端部付近の剥がれや、グリップ部の空回りが発生し易くなる。【解決手段】フェルール１５が釣竿本体３の保持部１９と、保持部の外周面に形成された外フランジ部２１とでなるフェルール本体１７と、リング状をなすフェルールリング２９と、螺合部３９と、螺合部の前端に形成された内フランジ部４３とでなり、内フランジ部がフェルール本体の保護部の外周面に外フランジ部とフェルールリングとの間で遊合したフェルールナット３７とを備える。接着剤１３がグリップ部１１から溢れ出しても、フェルールナットは固着されない。【選択図】        図３
2008067621.tif 000002
【特許請求の範囲】
【請求項１】
釣竿本体を外嵌め保持すると共に、リールシートに一部が着脱自在に挿入される釣竿本体の保持部と、前記保持部外周面の非挿入部に形成された外フランジ部とでなるフェルール本体と、
リング状をなし、前記外フランジ部より前方で、前記フェルール本体保持部外周面を外嵌めしたフェルールリングと、
筒状をなし、内周面に雌ネジが形成された螺合部と、前記螺合部の前端に形成された内フランジ部とでなり、前記内フランジ部が前記フェルール本体保持部外周面に外フランジ部と前記フェルールリングとの間で遊合したフェルールナットと、
を備えたことを特徴とする釣竿用フェルール。
【請求項２】
請求項１に記載した釣竿用フェルールにおいて、フェルールリングの前面には溜め凹部が形成されていることを特徴とする釣竿用フェルール。
【請求項３】
請求項１または２に記載した釣竿用フェルールにおいて、フェルールリングの後面には内方が凸となる段差部が形成され、フェルールナットの内フランジ部前面は環状の係合凸部が形成されており、前記フェルールリングの段差部に前記内フランジ部の係合凸部が遊合されたことを特徴とする釣竿用フェルール。
【請求項４】
釣竿本体と、リールシートを備えたハンドル部が請求項１から３のいずれかに記載したフェルールにより分割自在に結合されていることを特徴とする釣竿。
【請求項５】
請求項４に記載した釣竿において、釣竿本体の竿先側にグリップ部が設けられていることを特徴とする釣竿。
【発明の詳細な説明】
【技術分野】
【０００１】
本発明は、釣竿本体（ロッド）とリールシートを備えたハンドル部と分割自在に結合するフェルール（ジョイント部）と、当該フェルールにより分割自在に構成された釣竿に関するものである。
【背景技術】
【０００２】
特許文献１、２に示すように、釣竿本体（ロッド）とリールシートを備えたハンドル部とがフェルールにより分割自在になっているタイプの釣竿は従来から使用されている。
このタイプの釣竿は、釣竿本体を外嵌めしたフェルール本体の一部がリールシートに挿入されると共に、フェルール本体の外周面に遊合されたフェルールナットの雌ネジ部と、リールシートの外周面に形成された雄ネジ部とが螺合することで、釣竿本体とハンドル部とが結合される。
このタイプの釣竿は、分割自在に構成されているので、調子の異なる種々の釣竿本体にハンドル部を結合させることができ、しかも仕舞い込む際には分割することで釣竿の寸法を短くできる利点がある。
【０００３】
【特許文献１】実開昭６２−１３０４７４号公報
【特許文献２】特開２００１−３７３７９号公報
【発明の開示】
【発明が解決しようとする課題】
【０００４】
ところで、釣竿によっては、両手で釣竿全体を支える場合を考慮して、釣竿本体の前方（竿先側）にグリップ部が設けられたものがあるが、かかるグリップ部は、通常、釣竿本体の外周面に接着剤を介して固着される。
上記した分割自在なタイプの釣竿の釣竿本体の前方にグリップ部を設ける場合には、フェルールナットをフェルール本体に遊合させたものを、まず釣竿に接着し、その後に、グリップ部となるグリップ材を接着剤の介在により釣竿本体からフェルール本体の外周面に固着させることになる。
しかしながら、図４に示す特許文献１の釣竿のように、グリップ部６３がフェルールナット６５の近傍に位置する、即ち隙間７３の小さい構造になっていると、接着剤６７の塗布量が過剰でグリップ部６３から溢れ出た場合には、その溢れ出た分が容易にフェルールナット６５に到達し、フェルールナット６５をその周囲のフェルール本体６９などと固着させて、動作不良を引き起こしてしまう。
【０００５】
接着剤６７のフェルールナット６５への流出を阻止するために接着剤の塗布量を調整するとなると、微妙な調整が困難であることから接着剤の塗布量を減らす方向に向かい易い。その場合には前側の外フランジ部７１付近で接着剤の欠落部分が発生し、グリップ部６３の端部付近の剥がれや、グリップ部６３の空回りが起こる。
また、接着剤６７のフェルールナット６５への流出を阻止するために、今度は予めマスキングをしたり、グリップ部６３から溢れ出た接着剤６７をふき取ったりしたのでは、手間がかかる上に熟練も要する余分な作業が必要となり、生産性の低下及びコストの上昇を招く。
【０００６】
その一方で、図６に示す特許文献２の釣竿のように、グリップ部８３とフェルールナット８５とを離して隙間８７を大きくすると、その隙間部分は凹部（段差）となり、今度は握り心地が悪くなる。
従って、グリップ部とフェルールナットとの間にはなるべく隙間を作りたくない。
【０００７】
また、こませ餌を使う場合にはこませ籠にこませを直接手で、もしくはスプーン等で詰め込みながら釣りを行うが、船釣りのような場合には一斉に釣り始めることが多く、そのような場合には手にこませ餌が付着しても一々洗っている暇はない。従って、このようなときには、こませ餌が付着した手でグリップ部を握ることになり、図５に示すように、グリップ部６３とフェルールナット６５との隙間７３が小さくとも、図６に示すように、その隙間７３からこませ餌Ｆが容易に入り込んでしまう。
一旦、こませ餌Ｆが隙間７３に入り込むと、接着剤による接着作用と同様にフェルールナット６５の動作不良を引き起こすだけでなく、悪臭発生の原因ともなる。
この問題も副次的ながら、従来から懸念されている。
【０００８】
それ故、本発明は、上記課題を解決するために、少々接着剤がグリップ部から溢れ出してもフェルールナットが固着されない構造のフェルール、及び上記フェルールによりリールシートを備えたハンドル部が分割自在になっている釣竿を提供することを目的とする。
さらに、好ましくは、本発明は、こませ餌の入り込みが阻止される構造のフェルール、及び上記フェルールにより分割自在になっている釣竿を提供することを目的とする。
【課題を解決するための手段】
【０００９】
上記課題を達成するために、請求項１の発明は、釣竿本体を外嵌め保持すると共に、リールシートに一部が着脱自在に挿入される釣竿本体の保持部と、前記保持部外周面の非挿入部に形成された外フランジ部とでなるフェルール本体と、リング状をなし、前記外フランジ部より前方で、前記フェルール本体保持部外周面を外嵌めしたフェルールリングと、筒状をなし、内周面に雌ネジが形成された螺合部と、前記螺合部の前端に形成された内フランジ部とでなり、前記内フランジ部が前記フェルール本体保持部外周面に外フランジ部と前記フェルールリングとの間で遊合したフェルールナットと、を備えたことを特徴とする釣竿用フェルールである。
【００１０】
請求項２の発明は、請求項１に記載した釣竿用フェルールにおいて、フェルールリングの前面には溜め凹部が形成されていることを特徴とする釣竿用フェルールである。
【００１１】
請求項３の発明は、請求項１または２に記載した釣竿用フェルールにおいて、フェルールリングの後面には内方が凸となる段差部が形成され、フェルールナットの内フランジ部前面は環状の係合凸部が形成されており、前記フェルールリングの段差部に前記内フランジ部の係合凸部が遊合されたことを特徴とする釣竿用フェルールである。
【００１２】
請求項４の発明は、釣竿本体と、リールシートを備えたハンドル部が請求項１から３のいずれかに記載したフェルールにより分割自在に結合されていることを特徴とする釣竿である。
【００１３】
請求項５の発明は、請求項４に記載した釣竿において、釣竿本体の竿先側にグリップ部が設けられていることを特徴とする釣竿である。
【発明の効果】
【００１４】
本発明のフェルールを釣竿本体に取り付ける場合には、釣竿本体側の製造中に、竿先側にグリップ部を設けるために少々多めの接着剤を使用し、その接着剤がグリップ部から溢れ出しても、フェルールナットが固着されることはない。
【発明を実施するための最良の形態】
【００１５】
本発明の実施の形態に係るフェルールを備えた釣竿１を、図１〜図３に従って説明する。
図１に示すように、この釣竿１は、釣竿本体３と、リールシート５を備えたハンドル部９とが、フェルール１５により分割自在に構成されている。図３に示すように、この釣竿１の釣竿本体３の前方には、後からグリップ部１１が設けられる。
【００１６】
以下、フェルール１５のフェルール本体１７の構成について図１を用いて説明する。
符号１９は管状の保持部を示し、この保持部１９の一端は開口され、他端は閉口されている。この開口から釣竿本体３の一部が挿入されており、保持部１９が釣竿本体３を外嵌め保持している。保持部１９はリールシート５内にその前端から着脱自在に、即ち前後進自在に挿入される。
【００１７】
符号２１は外フランジ部を示し、この外フランジ部２１は保持部１９の外周面の非挿入部（即ち、リールシート５に挿入されずに露出する部分）に一体に形成されている。外フランジ部２１は途切れ目の無い連続した環状をなしている。
外フランジ部２１は後述するフェルールナット３７の後方向への移動を阻止するために形成されたものである。
保持部１９の肉厚は外フランジ部２１の前後で異なっており、外フランジ部２１の前方が後方より肉厚になっている。前方部分の保持部１９の外周面には環状の底浅のアンダーカット部（凹部）２３が形成されている。このアンダーカット部２３は後述するフェルールリング２９の圧入嵌合時の嵌合位置を定めるために形成されたものであり、その前後方向の長さは、後述するフェルールリング２９の内周面の前後方向の長さより若干大きく設定されている。
【００１８】
また、前方部分の保持部１９には、その途中で前方側に向かってテーパ状に傾斜した傾斜面２５が形成されており、その前後で段差が生じている。
符号２７は係止溝を示し、この係止溝２７は保持部１９の後端の閉口に形成されている。係止溝２７は、リールシート５内に横架された係止ピン７と係合するよう形成されている。
【００１９】
以下、フェルールリング２９の構成について説明する。
図２はフェルールリング２９の断面図と、前後方向から見た斜視図を示す。
符号３１は堰板部を示し、この堰板部３１は中心部分に穴が開いたリング状をなしている。堰板部３１の板面は前後方向を向いている。
堰板部３１の前板面には外周縁に沿って前方に突出する環状凸部３３が一体に形成されている。この環状凸部３３は途切れ目なく連続している。フェルールリング２９にフェルール本体１７の保持部１９が圧入嵌合されると、この環状凸部３３と堰板部３１の前板面とフェルール本体１７の保持部１９とによって前方に向かって開口した溜め凹部３４が形成される。
フェルールリング２９の堰板部３１の後板面にはその外周縁に沿って内方が凸となる段差部３５が形成されている。
堰板部３１の外周面は途中から後方に向かってテーパ状に傾斜している。
【００２０】
以下、フェルールナット３７の構成について図１を用いて説明する。
フェルールナット３７は樹脂または金属により構成することができる。
符合３９は筒状の螺合部を示し、その内径はリールシート５の外周部の雄ネジ６の形成部の外径に対応している。この螺合部３９の内周面には雌ネジ４１が形成されており、この雌ネジ４１はリールシート５の外周部に形成された雄ネジ６と螺合する。
符号４３は内フランジ部を示し、この内フランジ部４３は螺合部３９の前端に一体に形成されている。内フランジ部４３の存在によりフェルールナット３７の前方部分は略Ｌ字の鍵状になっている。内フランジ部４３の内方側面はフェルール本体１７の保持部１９の外周面と略合致する形状になっている。
内フランジ部４３の内方への突出長さは、内フランジ部４３がフェルール本体１７の保持部１９の外周面に遊合する、即ち回転自在に嵌合させることを考慮して、嵌合時に保持部１９の外周面との間に所定の隙間が開くように設定されている。
【００２１】
符号４５は係合凸部を示し、この係合凸部４５は内フランジ部４３に一体に形成されており、内フランジ部４３の前面の外周縁付近から前方に向かって突出している。
係合凸部４５の形状はフェルールリング２９の段差部３５の形状に対応している。
【００２２】
以下、釣竿１の釣竿本体３側の製造方法を説明する。
先ず、フェルールナット３７の穴にフェルール本体１７を前端から通し、フェルールナット３７の内フランジ部４３の後面をフェルール本体１７の外フランジ部２１の前面に当接させる。当接すると、フェルールナット３７は、その内フランジ部４３がフェルール本体１７の外フランジ部２１により後方に移動するのを抑制係止される。このとき、フェルールナット３７の内周面はフェルール本体１７の保持部１９外周面と遊合する。
次に、フェルールナット３７の取り付けられたフェルール本体１７をフェルールリング２９の穴に前端から圧入し、フェルール本体１７のアンダーカット部２３と嵌合させる。このとき、フェルールナット３７の内フランジ部４３の前面及び係合凸部４５は、フェルールリング２９の堰板部３１の後面及び段差部３５と、それぞれ、隙間３０を開けて遊合する。その後、フェルール本体１７に釣竿本体３を挿入、接着する。
さらに、ＥＶＡ、コルク等の材料で構成されたグリップ部１１でフェルール本体１７から釣竿本体３にかけてその外周面を被覆する。被覆方法は定法による。
グリップ部１１の後端はフェルールリング２９の前面に形成された環状凸部３３と当接させる。
【００２３】
以下に、効果について説明する。
フェルールリング２９の嵌合により、フェルール本体１７の外フランジ部２１とフェルールリング２９の堰板部３１とその間に挟まれたフェルール本体１７の保持部１９の外周面とによって画定された遊合凹部３２にフェルールナット３７の内フランジ部４３が遊合された状態、即ち、回転自在に支持された状態となる、フェルールリング２９と外フランジ部２１の存在により、フェルールナット３７の前後方向への移動は阻止される。
なお、図１、３では、フェルールナット３７と遊合凹部３２を画定するフェルール本体１７の外フランジ部２１等との間にはかなり大きい隙間が出来ているように見えるが、実際の隙間はこの図示の隙間の１／５以下である。図１、３では、各部材の外縁形状を明瞭に示す便宜上、隙間が実際より大きくなっているにすぎない。
【００２４】
図４に示す特許文献１のものでは、フェルールナット６５の前方への移動はフェルール本体６９の前方に形成された外フランジ部７１により阻止される構造になっているが、先ずフェルールナット６５を外フランジ部７１より後方の所定の嵌合位置で嵌合させる必要があり、そのためには、外フランジ部７１を押圧により弾性的に一旦押し下げて外フランジ７１に対して相対的に後方にフェルールナット６５を押し込めなければならない。従って、外フランジ部７１の突出高さには限界がある。しかも、当然のことながら外フランジ部７１は弾性変形する、即ち剛性の低い材料で構成しなくてはならない。そのため、フェルールナット６５の前方への移動を確実に阻止することはできない。
これに対して、この実施の形態では、引用文献１の外フランジ部７１に相当するものは、フェルール本体１７とは別体のフェルールリング２９になっており、このフェルールリング２９はフェルールナット３７をフェルール本体１７に取付けた後に取り付けることから、上記したような不都合は無く、フェルールナット３７の前方への移動が確実に阻止される。特に、剛性の有る材料でフェルールリング２９を構成した場合には一層確実に阻止されることは言うまでもない。
【００２５】
フェルールリング２９とフェルールナット３７との間の隙間３０は、フェルールナット３７の内フランジ部４３の前面と係合凸部４５の境界で略垂直に屈曲しており、こませ餌の内方への入り込みはこの屈曲部で阻止される。従って、こませ餌の内方への入り込みによるフェルールナット３７の動作不良や悪臭の発生が阻止される。
【００２６】
グリップ部１１は上記した外周面と接着剤１３を介して固着されるが、図３に示すように、接着剤１３がグリップ部１１とフェルール本体１７の保持部１９の間から溢れ出しても、その分は溜め凹部３４内に溜め置かれ、フェルールナット３７側まで流出することはない。従って、フェルールナット３７の遊合状態は維持される。
また、少々の溢れ出しを気にせずに接着剤１３を十分に塗布することができるので、グリップ部１１の後端まで十分に接着剤を行き渡らせることができ、グリップ部１１の剥がれや空回りは防止される。
【００２７】
その他、グリップ部１１とフェルールリング２９との間には隙間がないので、そこにこませ餌が入り込むこともない。
また、グリップ部１１の後端の小口部がフェルールリング２９により保護されるので、損傷が防止される。
さらに、フェルールリング２９がグリップ部１１とフェルールナット３７との間に設けられることになるので、外観構成要素が増えることになり、外観の装飾効果を一層高めることが可能となる。
【００２８】
以上、本発明の実施の形態を説明したが、本発明の具体的構成は上記の実施の形態に限定されるものではなく、本発明の要旨から外れない範囲での設計変更があっても本発明に含まれる。
フェルール本体、フェルールリング、フェルールナットは金属、プラスチックのいずれで構成してもよい。
いずれにしても、特許請求されている事項を除いては、従来からあるまたは将来案出される形状や素材や製造方法を任意に組み合わせることができる。
【産業上の利用可能性】
【００２９】
本発明の釣竿用フェルールを使用すれば、フェルールナットの動作不良などの問題が無い製品を、手間がかかる上に熟練も要する余分な作業を必要とせずに製造でき、生産性を高めることができる。
【図面の簡単な説明】
【００３０】
【図１】本発明の第１の実施の形態に係る釣竿のグリップ部取付け前の側方断面図である。
【図２】図１の釣竿用フェルールのフェルールリングの斜視図及び断面図である。
【図３】図１の釣竿のグリップ部取付け後の側方断面図である。
【図４】従来品（特許文献１）の釣竿の側方断面図である。
【図５】従来品（特許文献１）の釣竿の側方断面図である。
【図６】従来品（特許文献２）の釣竿の側面図である。
【符号の説明】
【００３１】
１‥‥釣竿
３‥‥釣竿本体                        ５‥‥リールシート
７‥‥係止ピン                        ９‥‥ハンドル部
１１‥‥グリップ部                    １３‥‥接着剤
１５‥‥フェルール                    １７‥‥フェルール本体
１９‥‥保持部                        ２１‥‥外フランジ部
２３‥‥アンダーカット部              ２５‥‥傾斜面
２７‥‥係止溝                        ２９‥‥フェルールリング
３１‥‥堰板部                        ３２‥‥遊合凹部
３３‥‥環状凸部                      ３４‥‥溜め凹部
３７‥‥フェルールナット
３９‥‥螺合部                        ４１‥‥雌ネジ
４３‥‥内フランジ部                  ４５‥‥係合凸部
Ｆ‥‥こませ餌 
【図１】
2008067621.tif 000003
【図２】
2008067621.tif 000004
【図３】
2008067621.tif 000005
【図４】
2008067621.tif 000006
【図５】
2008067621.tif 000007
【図６】
2008067621.tif 000008